(57)【特許請求の範囲】
【請求項１】
液透過性の肌当接面、液不透過性の非肌当接面、および液保持性の吸収部を有する吸収性物品を、帯状の包装材でロール状に包装した吸収性物品の包装構造であって、
上記帯状の包装材の片面に剥離処理部を設け、
複数の上記吸収性物品を、粘着剤を介して上記剥離処理部に付着させて上記包装材に配置し、
上記包装材における上記各吸収性物品間に、それぞれ上記包装材の切り離し部を設け、
上記切り離し部それぞれに包装構造を封止する封止手段を設け、
上記吸収性物品の付着された上記包装材を、上記吸収性物品が内側となるように巻回させたことを特徴とする吸収性物品の包装構造。
【請求項２】
上記複数の吸収性物品を、上記包装材に間歇的に配置したことを特徴とする請求項１に記載の吸収性物品の包装構造。
【請求項３】
上記切り離し部は、上記包装材に形成されたミシン目であることを特徴とする請求項１又は２に記載の吸収性物品の包装構造。
【請求項４】
上記封止手段は、上記切り離し部を跨いで上記包装材に粘着されたテープからなり、該テープは、上記包装材のうちロール状に巻回された状態において切り離し部の外側の包装材に粘着された部分が剥離可能になしてあることを特徴とする請求項１〜３の何れかに記載の吸収性物品の包装構造。
【発明の詳細な説明】
【０００１】
【発明の属する技術分野】
本発明は、生理用ナプキン、失禁者用パッド、おりもの用シート等の吸収性物品を複数、帯状の包装材でロール状に包装した吸収性物品の包装構造に関し、更に詳しくは、極めて簡易な構造で、複数の吸収性物品を容易且つ低廉に、コンパクトに、また衛生的に、取り出し容易に包装・収納することができ、所望の個数の吸収性物品の携帯が可能で、吸収性物品の廃棄にも便利な吸収性物品の包装構造に関する。
【０００２】
【従来の技術及び発明が解決しようとする課題】
一般に、液透過性の肌当接面、液不透過性の非肌当接面、および液保持性の吸収部を有する吸収性物品はよく知られている。この様な吸収性物品は、従来より、個別に折りたたんでフィルム等により包装し、更に、複数個をまとめて全体包装を施している。
またこの様な吸収性物品の中には、装着時におけるずれを防止するために非肌当接面に粘着剤を塗布したものがあり、この様な吸収性物品を包装する場合には、個別に折りたたむ前に予め粘着剤塗布部に剥離シートを付着させておくことがある。
【０００３】
しかし、上述のような従来技術の吸収性物品の包装構造では、吸収性物品に個別包装と全体包装との二重包装を施し、更に必要に応じて粘着剤塗布部に剥離シートを付着させる等、包装の構造が複雑であるため、包装に多くの手間やコストがかかったり、使用時等に吸収性物品を取り出す際に手間がかかる場合が多い。
また、吸収性物品と個別包装材料との間、個別包装品と全体包装材料との間の両方に空間が形成されてかさばり易く、運搬や保管に不便となる場合がある。
【０００４】
尚、吸収性物品を低廉に包装でき且つ容易に取り出し使用できる吸収性物品の包装構造として、従来より、実開平５−８２４２０号公報に記載される様に、隣接する吸収性物品間にミシン目を入れた吸収性物品の連続体を、ロール状又はファンフォールド状に巻き取ったものがある。しかしこの吸収性物品の包装構造では、吸収性物品が個別に包装・封止されていないので、吸収性物品を衛生的に保管し難く、また吸収性物品を個別に携帯し難い問題点がある。更に、使用後等の吸収性物品を包装する包装材がないので廃棄に不便であるという問題点もある。
【０００５】
従って、本発明の目的は、極めて簡易な構造で、複数の吸収性物品を容易且つ低廉に、コンパクトに、また衛生的に、取り出し容易に包装・収納することができ、所望の個数の吸収性物品の携帯が可能で、吸収性物品の廃棄にも便利な吸収性物品の包装構造を提供することにある。
【０００６】
【課題を解決するための手段】
本発明は、液透過性の肌当接面、液不透過性の非肌当接面、および液保持性の吸収部を有する吸収性物品を、帯状の包装材でロール状に包装した吸収性物品の包装構造であって、上記帯状の包装材の片面に剥離処理部を設け、複数の上記吸収性物品を、粘着剤を介して上記剥離処理部に付着させて上記包装材に配置し、上記包装材における上記各吸収性物品間に、それぞれ上記包装材の切り離し部を設け、上記切り離し部それぞれに包装構造を封止する封止手段を設け、上記吸収性物品の付着された上記包装材を、上記吸収性物品が内側となるように巻回させたことを特徴とする吸収性物品の包装構造を提供することにより、上記目的を達成したものである。
【０００７】
【発明の実施の形態】
以下、本発明の吸収性物品の包装構造の第１の実施形態を図面を参照しながら具体的に説明する。尚、本実施形態は、吸収性物品である生理用ナプキンを包装した吸収性物品の包装構造である。
図１は本発明の吸収性物品の包装構造の第１の実施形態を示す斜視図、図２は図１の吸収性物品の包装構造の包装シートの先端を引き出した状態を図１の裏側から見た斜視図、図３は図１の吸収性物品の包装構造の粘着テープを示す平面図、図４は図１の吸収性物品の包装構造によって吸収性物品を包装する工程を示す概略図、図５は図１の吸収性物品の包装構造の包装シート片を示す平面図である。
【０００８】
本実施形態の吸収性物品の包装構造１０は、液透過性の肌当接面、液不透過性の非肌当接面、および液保持性の吸収部を有する吸収性物品（生理用ナプキン）１１を、図１に示す様に、帯状の包装材である包装シート１２でロール状に包装したものである。そして、図２に示す様に、上記帯状の包装シート１２の片面に剥離処理部としての剥離処理面（図示せず）を設けており、複数の上記吸収性物品１１を、粘着剤１３を介して上記剥離処理面（図示せず）に付着させて上記包装シート１２に配置し、上記吸収性物品１１の付着された上記包装シート１２を、上記吸収性物品１１が内側となるように巻回させている。
【０００９】
本実施形態の吸収性物品の包装構造１０について更に説明すると、上記複数の吸収性物品１１は包装シート１２上に間歇的に直列に配置さている。上記包装シート１２における上記各吸収性物品１１間には、包装シート１２の切り離し部としてのミシン目１４が形成されており、このミシン目１４によって、包装シート１２が、複数の包装シート片１２ａに区画されている。
また、ミシン目１４それぞれには、包装構造を封止する封止手段としての粘着テープ１５が備えられている。
【００１０】
本実施形態の吸収性物品の包装構造１０について更に詳述すると、上記包装シート１２は、ポリエチレンフィルムである。そしてこのポリエチレンフィルムの片面は、全面に亘って剥離処理が施されて剥離処理面（図示せず）となっている。この剥離処理面（図示せず）には粘着剤１３が包装シート１２の長手方向に沿って平行に２本ずつ間歇的に塗布されており、この粘着剤１３を介して、吸収性物品１１が付着されている。吸収性物品１１は、その長手方向を上記包装シート１２の長手方向に向け且つ非肌当接面を包装シート１２側にした状態で、包装シート１２に付着されており、その結果、複数の吸収性物品１１が、包装シート１２の剥離処理面（図示せず）上に、所定の間隔をあけて直列配置された包装構造１０が形成されている。この包装シート１２は、吸収性物品１１を内側にしてロール状に巻回されている。
【００１１】
上記粘着テープ１５は、図３に示す様に、一方の面の一端部に粘着剤が塗布されて強粘着部１５ａが形成されている。そしてこの強粘着部１５ａに隣接して非粘着部１５ｂが形成されており、この非粘着部１５ｂに隣接して、上記強粘着部１５ａに塗布されている粘着剤よりも粘着力の弱い感圧接着剤が塗布された弱粘着部１５ｃが形成されており、この弱粘着部１５ｃは繰り返し粘着・剥離可能となっている。弱粘着部１５ｃよりも他端側は非粘着性の摘み部１５ｄとなっている。
この粘着テープ１５は、包装シート１２の剥離処理面において、強粘着部１５ａがミシン目１４の内側の包装シート片１２ａに粘着され、非粘着部１５ｂがミシン目１４を跨ぎ、弱粘着部１５ｃがミシン目１４の外側の包装シート片１２ａに粘着されている。また、ロール状の包装シート１２の先端では、図１に示す様に、先端の包装シート片１２ａに強粘着部１５ａが粘着され、弱粘着部１５ｃは一回り内側の包装シート片１２ａに粘着されており、これにより包装構造が封止されている。
【００１２】
次に、図１又は図２に示す上述の構成を有する吸収性物品の包装構造１０を得るための吸収性物品１１の包装工程の一実施形態について説明する。まず、図４に示す様に、片面に剥離処理の施された包装シートの包装シートロール２２から包装シート１２を引き出して粘着剤塗布装置４１により間歇的に粘着剤１３を塗布してゆき（工程▲１▼）、粘着剤１３塗布部分に吸収性物品１１を非肌当接面側から重ね（工程▲２▼）、ミシン目形成装置４２により吸収性物品１１間にミシン目１４を形成する（工程▲３▼）。同時に粘着テープロール２５から粘着テープ１５を引き出し、この粘着テープ１５を所定の位置で切断して包装シート１２に貼付し（工程▲４▼）、包装シート１２を、吸収性物品１１を内側にして所定の長さ分巻取ってロール状とする（工程▲５▼）。
【００１３】
続いて、上述の包装工程により得る本実施形態の吸収性物品の包装構造１０から吸収性物品１１を取り出す手順について説明する。
まず、先端の包装シート片１２ａに粘着されている粘着テープ１５の摘み部１５ｄを摘み、粘着テープ１５の弱粘着部１５ｃを一回り内側の包装シート片１２ａから剥がす。そしてそのまま摘み部１５ｄを引くと、包装シート１２が先端から順に引き出される。包装シート片１２ａの１片分を引き出してミシン目１４から切り離すと、図５に示す様な包装シート片１２ａが得られ、この包装シート片１２ａから吸収性物品１１を剥離すれば、非肌当接面に粘着剤の付着した吸収性物品１１を得ることができる。
【００１４】
また、切り離された包装シート片１２ａと該包装シート片１２ａの内側の包装シート片１２ａとに跨がって粘着されていた粘着テープ１５は先端の包装シート片１２ａからは剥離し、強粘着部１５ａのみが上記内側の包装シート片（ロール本体側の包装シート片）１２ａに粘着した状態となる。そしてこの粘着テープ１５の弱粘着部１５ｃを、上記ロール本体側の包装シート片１２ａの側方に新たに露出した包装シート片１２ａに粘着すると、再び包装構造が封止される。
尚、吸収性物品１１を剥離して残った包装シート片１２ａで使用済の吸収性物品を包装し、この包装シート片１２ａに粘着している粘着テープ１５により封止して廃棄することができる。
【００１５】
この様に、本実施形態の吸収性物品の包装構造１０では、吸収性物品１１を二重に包装することがなく且つ剥離紙を用いることがなく、極めて簡易な構造で吸収性物品１１が包装される。従って、本実施形態の吸収性物品の包装構造１０によれば、包装のために必要な原材料や工程を少なく抑えることができ、容易且つ低廉に、コンパクトに複数の吸収性物品１１を包装・収納することが可能である。また、使用時等において少ない手間で容易に吸収性物品１１を取り出すことができる。
本実施形態の吸収性物品の包装構造１０によれば、吸収性物品１１を個別に折りたたまず、全体包装する分をまとめてロール状に巻回するので、この点でも容易に短時間に複数の吸収性物品を包装できる。
本実施形態の吸収性物品の包装構造１０によれば、吸収性物品１１が包装シート１２の内側に包装され、且つ包装構造が粘着テープ１５によって封止されるので、吸収性物品１１が衛生的に包装・収納される。
【００１６】
本実施形態の吸収性物品の包装構造１０によれば、包装シート１２の吸収性物品１１の間にミシン目１４が形成されており、且つミシン目１４それぞれに粘着テープ１５が備えられているので、包装シート１２を適当な位置のミシン目１４から切り離して再び巻回させて粘着テープ１５により封止することにより、所望の個数のみの吸収性物品を衛生的に包装して携帯することが可能である。
本実施形態の吸収性物品の包装構造１０によれば、吸収性物品１１が長手方向に湾曲して包装されるので、吸収性物品１１の装着時におけるフィット性が向上する。
本実施形態の吸収性物品の包装構造１０によれば、包装シート１２がミシン目１４によって包装シート片１２ａ毎に切り離し可能となっており、且つ包装構造を封止する粘着テープ１５が繰り返し粘着・剥離可能な弱粘着部１５ｃを有しているので、吸収性物品１１を剥離した後の包装シート片１２ａを用いて使用後等の吸収性物品を単品で封止・包装し、簡便に廃棄することができる。
【００１７】
次に、本発明の吸収性物品の包装構造の第２の実施形態について説明する。尚、本実施形態において図１乃至図５に示す第１の実施形態と同一の部材については同一の符号を付し、説明は省略する。
図６は本発明の吸収性物品の包装構造の第２の実施形態を示す斜視図、図７は図６の吸収性物品の包装構造の包装シートの先端を引き出した状態を図６の裏側から見た斜視図、図８は図６の吸収性物品の包装構造によって吸収性物品を包装する工程を示す概略図、図９は図６の吸収性物品の包装構造の包装シート片を示す平面図である。
【００１８】
本実施形態の吸収性物品の包装構造２０では、包装シート１２は剥離処理を施されておらず、図６及び図７に示す様に、その片面（以下、表面）に剥離処理部としての剥離処理シート片１２ｂが間歇的に貼付されている。また粘着テープは貼付されておらず、表面のミシン目１４の内側側方には封止手段としてのホットメルト接着剤１６が塗布されている。そしてこのホットメルト接着剤１６を介して、包装シート１２の内方表面がほぼ一巻分内側の外方表面と接着されることにより、包装構造が封止されている。
本実施形態において、包装シート１２に剥離処理が施されておらず代わりに剥離処理シート片１２ｂが間歇的に貼付されていることと、粘着テープの代わりにホットメルト接着剤１６が用いられ、各ミシン目１４の内側において包装シート１２の内側表面が一巻内側の外側表面と接着されていること以外の構成については上述の第１実施形態と同様である。
【００１９】
図６又は図７に示す上述の構成を有する吸収性物品の包装構造２０は、例えば、図８に示す様に、剥離処理シートロール２２ｂを引き出して所定の長さに切断して剥離処理シート片１２ｂとし、包装シートロール２２から引き出した包装シート１２に貼付し（工程▲１▼’）、粘着剤塗布装置４１により包装シート１２に貼付された剥離処理シート片１２ｂに粘着剤１３を塗布し（工程▲２▼’）、粘着剤１３塗布部分に吸収性物品１１を非肌当接面側から重ね（工程▲３▼’）、ミシン目形成装置４２により吸収性物品１１間にミシン目１４を形成し（工程▲４▼’）、ホットメルト接着剤塗布装置４３によりミシン目１４側方にホットメルト接着剤１６を塗布し（工程▲５▼’）、包装シート１２を、吸収性物品１１を内側にして巻取ってロール状とする（工程▲６▼’）ことにより形成される。
【００２０】
本実施形態の吸収性物品の包装構造２０によっても、上述の第１の実施形態と同様の効果を得ることができる。
【００２１】
本発明は上述した実施形態に限定されるものではなく、各部材の具体的な形状、寸法等は、本発明の趣旨を逸脱しない限り適宜変更可能である。
例えば、包装シート１２は、上述したポリエチレンフィルムに限られず、ポリエチレンラミネート加工を施した紙及び不織布や紙等を用いることができる。
吸収性物品１１は、その幅方向を上記包装シート１２の長手方向に向けて包装シート１２の剥離処理面（図示せず）上に直列配置してもよい。
また、吸収性物品１１は、包装シート１２に間歇的に配置せず連続的に配置したり、各吸収性物品間にミシン目を設けた吸収性物品１１の連続体としてこれを包装シート１２に配置してもよい。
また、切り離し部は、上述したミシン目１４に限られず、図１０又は図１１に示す様に、完全に切断した包装シート片１２ａどうしを剥離可能な粘着テープ２４やホットメルト接着剤３４で連結したものとしてもよい。この場合、粘着テープ２４やホットメルト接着剤３４は封止手段を兼ねたものとすることができる。
【００２２】
更に、封止手段は上述した粘着テープ１５やホットメルト接着剤１６に限られず、包装シート１２の幅方向全長に亘って粘着される粘着シートとしてもよい。
ロール状の包装シート１２の側縁部の、互いに隣接する部分どうしを感圧接着剤等によって剥離可能に接着したり、包装シート１２の側縁部どうしを完全に接着するとともにこの側縁部に沿ってミシン目を入れてミシン目から切り離しながら先端の包装シート片１２ａを引き出すようにして、吸収性物品１１をより清潔に包装してもよい。
尚、本発明の吸収性物品の包装構造により包装される吸収性物品は生理用ナプキンに限られるものではなく、おりものシートや失禁者用パッド等でもよいが、コンパクト且つ良好にロール包装できる点で、厚さが３ｍｍ以下であることが好ましく、２ｍｍ以下であることがより好ましい。
【００２３】
【発明の効果】
以上説明した様に、本発明の吸収性物品の包装構造によれば、極めて簡易な構造で、複数の吸収性物品を容易且つ低廉に、コンパクトに、また衛生的に、取り出し容易に包装・収納することができる。また、所望の個数の吸収性物品の携帯が可能であり、吸収性物品の廃棄を簡便に行うことができる。
【図面の簡単な説明】
【図１】本発明の吸収性物品の包装構造の第１の実施形態を示す斜視図である。
【図２】図１の吸収性物品の包装構造の包装シートの先端を引き出した状態を図１の裏側から見た斜視図である。
【図３】図３は図１の吸収性物品の包装構造の粘着テープを示す平面図である。
【図４】図１の吸収性物品の包装構造によって吸収性物品を包装する工程を示す概略図である。
【図５】図１の吸収性物品の包装構造の包装シート片を示す平面図である。
【図６】本発明の吸収性物品の包装構造の第２の実施形態を示す斜視図である。
【図７】図６の吸収性物品の包装構造の包装シートの先端を引き出した状態を図６の裏側から見た斜視図である。
【図８】図６の吸収性物品の包装構造によって吸収性物品を包装する工程を示す概略図である。
【図９】図６の吸収性物品の包装構造の包装シート片を示す平面図である。
【図１０】本発明の吸収性物品の包装構造の切り離し部のその他の例を示す平面図である。
【図１１】本発明の吸収性物品の包装構造の切り離し部のその他の例を示す断面図である。
【符号の説明】
１０    吸収性物品の包装構造
１１    吸収性物品
１２    包装シート
１２ａ  包装シート片
１２ｂ  剥離処理シート片
１３    粘着剤
１４    ミシン目
１５    粘着テープ
１５ａ  強粘着部
１５ｂ  非粘着部
１５ｃ  弱粘着部
１５ｄ  摘み部
１６    ホットメルト接着剤
２０    吸収性物品の包装構造
２２    包装シートロール
２２ｂ  剥離処理シートロール
２４    粘着テープ
２５    粘着テープロール
３４    ホットメルト接着剤
４１    粘着剤塗布装置
４２    ミシン目形成装置
４３    ホットメルト接着剤塗布装置
【図１】
0003580922.tif 000002
【図２】
0003580922.tif 000003
【図３】
0003580922.tif 000004
【図４】
0003580922.tif 000005
【図５】
0003580922.tif 000006
【図６】
0003580922.tif 000007
【図７】
0003580922.tif 000008
【図８】
0003580922.tif 000009
【図９】
0003580922.tif 000010
【図１０】
0003580922.tif 000011
【図１１】
0003580922.tif 000012